【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングに収容され、回転軸を有するブラシレスモータと、
前記回転軸に固定される冷却ファンと、
前記ブラシレスモータを制御する制御部と、前記ブラシレスモータを駆動するためのスイッチング素子とを有する基板部と、を備え、
前記基板部は前記回転軸の軸線上に配置され、前記冷却ファンによる冷却風により冷却されることを特徴とする電動工具。
【請求項２】
前記ハウジングには吸気口及び排気口が形成され、
前記吸気口は前記ブラシレスモータと前記基板部との間に設けられていることを特徴とする請求項１に記載の電動工具。
【請求項３】
前記冷却ファンによって前記吸気口から前記ハウジング内に吸入された空気は、前記基板部、前記ブラシレスモータを通って前記排気口から排出されることを特徴とする請求項２に記載の電動工具。
【請求項４】
前記冷却ファンによって前記吸気口から前記ハウジング内に吸入された空気は前記ブラシレスモータの内側を通ることを特徴とする請求項３に記載の電動工具。
【請求項５】
前記回転軸は上下方向に延びて前記ハウジングに収容され、
前記ブラシレスモータの下方には、前記基板部を収容する基板部収容空間が形成されていることを特徴とする請求項２から４のいずれか１項に記載の電動工具。
【請求項６】
前記基板部は、前記制御部が搭載される回路基板と、前記スイッチング素子に接続される放熱部材と、前記回路基板を収容し絶縁材が充填されている回路基板支持部と、を備え、
前記回路基板支持部は基板部収容空間に収容されていることを特徴とする請求項５に記載の電動工具。
【請求項７】
前記放熱部材は、前記吸気口と前記排気口とを繋ぐ冷却風路内に配置されることを特徴とする請求項６に記載の電動工具。
【請求項８】
前記回路基板は前後方向に延びるように配置されることを特徴とする請求項６に記載の電動工具。
【請求項９】
前記回転軸の回転が伝達される出力部を有し、
前記出力部は前記回転軸の軸心と交差すると共に前記回路基板と略平行に延びることを特徴とする請求項８に記載の電動工具。
【請求項１０】
ブラシレスモータと、
前記ブラシレスモータを駆動するスイッチング素子と、
前記ブラシレスモータを収容するモータハウジング及び前記モータハウジングに連結されるハンドルハウジングを備えるハウジングと、を備えた電動工具であって、
前記ブラシレスモータの下方に前記スイッチング素子を配置し、前記ハウジング内には前記スイッチング素子を冷却する冷却風路が形成されていることを特徴とする電動工具。
【請求項１１】
前記ハウジングには吸気口が形成され、
前記スイッチング素子は前記吸気口の近傍に配置されていることを特徴とする請求項１０に記載の電動工具。
【請求項１２】
前記スイッチング素子に接続される放熱部材をさらに備えることを特徴とする請求項１１に記載の電動工具。
【請求項１３】
前記吸気口は前記スイッチング素子よりも前記放熱部材に近接していることを特徴とする請求項１２に記載の電動工具。
【請求項１４】
前記ハウジングには排気口が形成され、
前記冷却風路は前記吸気口と前記排気口とを繋ぐように形成されていることを特徴とする請求項１１に記載の電動工具。
【請求項１５】
前記ハウジングはＤ型形状のハンドルを備え、前記ハンドルの下方に電源が接続可能であることを特徴とする請求項１〜１０のいずれか１項に記載の電動工具。
【請求項１６】
上下方向に延びるブラシレスモータと、
前記ブラシレスモータの上方側に配置され前後方向に延びる出力部と、
前記ブラシレスモータの下方側に配置され前後方向に延びる基板部と、
前記基板部に固定されるスイッチング素子と、を有することを特徴とする電動工具。
【請求項１７】
ブラシレスモータを収容するモータハウジングと、
前記モータハウジングから延出し作業者が把持可能なハンドルハウジングと、
前記モータハウジングと前記ハンドルハウジングとの接続部に配置され、前記ブラシレスモータを制御する基板部と、を備え、
前記接続部には、前記基板部を冷却するための冷却風が通過する冷却通路が形成されていることを特徴とする電動工具。
【手続補正２】
【補正対象書類名】明細書
【補正対象項目名】０００６
【補正方法】変更
【補正の内容】
【０００６】
上記課題を解決するために本発明は、ハウジングと、前記ハウジングに収容され回転軸を有するブラシレスモータと、前記回転軸に固定される冷却ファンと、前記ブラシレスモータを制御する制御部と、前記ブラシレスモータを駆動するためのスイッチング素子とを有する基板部と、を備え、前記基板部は前記回転軸の軸線上に配置され、前記冷却ファンによる冷却風により冷却されることを特徴とする電動工具を提供している。
【手続補正３】
【補正対象書類名】明細書
【補正対象項目名】０００７
【補正方法】変更
【補正の内容】
【０００７】
また、前記ハウジングには吸気口及び排気口が形成され、前記吸気口は前記ブラシレスモータと前記基板部との間に設けられていることが好ましい。
【手続補正４】
【補正対象書類名】明細書
【補正対象項目名】０００８
【補正方法】変更
【補正の内容】
【０００８】
また、前記冷却ファンによって前記吸気口から前記ハウジング内に吸入された空気は、前記基板部、前記ブラシレスモータを通って前記排気口から排出されることが好ましい。
【手続補正５】
【補正対象書類名】明細書
【補正対象項目名】０００９
【補正方法】変更
【補正の内容】
【０００９】
また、前記冷却ファンによって前記吸気口から前記ハウジング内に吸入された空気は前記ブラシレスモータの内側を通ることが好ましい。
【手続補正６】
【補正対象書類名】明細書
【補正対象項目名】００１１
【補正方法】変更
【補正の内容】
【００１１】
また、前記回転軸は上下方向に延びて前記ハウジングに収容され、前記ブラシレスモータの下方には、前記基板部を収容する基板部収容空間が形成されていることが好ましい。
【手続補正７】
【補正対象書類名】明細書
【補正対象項目名】００１２
【補正方法】変更
【補正の内容】
【００１２】
また、前記基板部は、前記制御部が搭載される回路基板と、前記スイッチング素子に接続される放熱部材と、前記回路基板を収容し絶縁材が充填されている回路基板支持部と、を備え、前記回路基板支持部は基板部収容空間に収容されていることが好ましい。
【手続補正８】
【補正対象書類名】明細書
【補正対象項目名】００１３
【補正方法】変更
【補正の内容】
【００１３】
また、前記放熱部材は、前記吸気口と前記排気口とを繋ぐ冷却風路内に配置されることが好ましい。
【手続補正９】
【補正対象書類名】明細書
【補正対象項目名】００１４
【補正方法】変更
【補正の内容】
【００１４】
また、前記回路基板は前後方向に延びるように配置されることが好ましい。
【手続補正１０】
【補正対象書類名】明細書
【補正対象項目名】００１５
【補正方法】変更
【補正の内容】
【００１５】
また、前記回転軸の回転が伝達される出力部を有し、前記出力部は前記回転軸の軸心と交差すると共に前記回路基板と略平行に延びることが好ましい。
【手続補正１１】
【補正対象書類名】明細書
【補正対象項目名】００１６
【補正方法】変更
【補正の内容】
【００１６】
本発明の別の観点によると、ブラシレスモータと、前記ブラシレスモータを駆動するスイッチング素子と、前記ブラシレスモータを収容するモータハウジング及び前記モータハウジングに連結されるハンドルハウジングを備えるハウジングと、を備えた電動工具であって、前記ブラシレスモータの下方に前記スイッチング素子を配置し、前記ハウジング内には前記スイッチング素子を冷却する冷却風路が形成されていることを特徴とする電動工具を提供している。
【手続補正１２】
【補正対象書類名】明細書
【補正対象項目名】００１７
【補正方法】変更
【補正の内容】
【００１７】
このような構成によると、スイッチング素子が冷却風路を通過する冷却風によって冷却されるため、スイッチング素子を効率的に冷却することができる。
【手続補正１３】
【補正対象書類名】明細書
【補正対象項目名】００１８
【補正方法】変更
【補正の内容】
【００１８】
また、前記ハウジングには吸気口が形成され、前記スイッチング素子を前記吸気口の近傍に配置されていることが好ましい。
【手続補正１４】
【補正対象書類名】明細書
【補正対象項目名】００１９
【補正方法】変更
【補正の内容】
【００１９】
また、前記スイッチング素子に接続される放熱部材をさらに備えることが好ましい。
【手続補正１５】
【補正対象書類名】明細書
【補正対象項目名】００２０
【補正方法】変更
【補正の内容】
【００２０】
このような構成によると、放熱部材がスイッチング素子に接続されているため、スイッチング素子の発熱を効果的に放熱することができる。
【手続補正１６】
【補正対象書類名】明細書
【補正対象項目名】００２１
【補正方法】変更
【補正の内容】
【００２１】
また、前記吸気口は前記スイッチング素子よりも前記放熱部材に近接していることが好ましい。
【手続補正１７】
【補正対象書類名】明細書
【補正対象項目名】００２３
【補正方法】変更
【補正の内容】
【００２３】
また、前記ハウジングには排気口が形成され、前記冷却風路は前記吸気口と前記排気口とを繋ぐように形成されていることが好ましい。
【手続補正１８】
【補正対象書類名】明細書
【補正対象項目名】００２４
【補正方法】変更
【補正の内容】
【００２４】
また、前記ハウジングはＤ型形状のハンドルを備え、前記ハンドルの下方に電源が接続可能であることが好ましい。
【手続補正１９】
【補正対象書類名】明細書
【補正対象項目名】００２５
【補正方法】変更
【補正の内容】
【００２５】
本発明の別の観点では、上下方向に延びるブラシレスモータと、前記ブラシレスモータの上方側に配置され前後方向に延びる出力部と、前記ブラシレスモータの下方側に配置され前後方向に延びる基板部と、前記基板部に固定されるスイッチング素子と、を有することを特徴とする電動工具を提供している。
【手続補正２０】
【補正対象書類名】明細書
【補正対象項目名】００２６
【補正方法】変更
【補正の内容】
【００２６】
本発明の別の観点では、ブラシレスモータを収容するモータハウジングと、前記モータハウジングから延出し作業者が把持可能なハンドルハウジングと、前記モータハウジングと前記ハンドルハウジングとの接続部に配置され、前記ブラシレスモータを制御する基板部と、を備え、前記接続部には、前記基板部を冷却するための冷却風が通過する冷却通路が形成されていることを特徴とする電動工具を提供している。
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】